(57)【要約】【課題】  簡単な方法で適正なイコライズ補正係数によるフィルタ処理を行ない、タンジェンシャルスキューに対する再生特性の改善を図る。【解決手段】  光ピックアップ１００によって得られる光ディスクからの再生ＲＦ信号をイコライズするイコライザ部２００に、固定値イコライザ２１０及びアダプティブイコライザ２５０によるイコライズ後のＲＦ再生信号から収差量を検出することによってＲＦ再生信号品質を検出するＲＦ信号品質検出器２７０と、このＲＦ信号品質検出器２７０によって検出した収差量をある範囲に収めるようにイコライズ演算のためのイコライズ補正係数をフィードバック制御によって変化させるクローズドループ制御ブロックを設け、クローズドループ制御によってＲＦ再生信号のイコライズ処理を最適化する。【選択図】        図１
2005122844.tif 000002
【特許請求の範囲】
【請求項１】
光ディスクを少なくとも再生する光ピックアップと、
前記光ピックアップによって光ディスクから再生されたＲＦ再生信号をイコライズするイコライザ部とを有し、
前記イコライザ部は、
前記ＲＦ再生信号を与えられたイコライズ補正係数に基づいてイコライズするイコライズ手段と、
前記イコライズ手段によるイコライズ後のＲＦ再生信号から収差量を検出することによってＲＦ再生信号品質を検出するＲＦ信号品質検出手段と、
前記ＲＦ信号品質検出手段によって検出した収差量をある範囲に収めるように前記イコライズ手段におけるイコライズ補正係数をフィードバック制御によって変化させるクローズドループ制御手段とを有している、
ことを特徴とする光ディスク装置。
【請求項２】
前記イコライザ部の前段にアナログＲＦ信号をデジタル信号に変換するＡ／Ｄ変換器を設け、前記イコライザ部においてデジタル信号処理を行なうことを特徴とする請求項１記載の光ディスク装置。
【請求項３】
前記イコライザ部の後段にデジタル信号をアナログ信号に変換するＤ／Ａ変換器を設けたことを特徴とする請求項２記載の光ディスク装置。
【請求項４】
前記Ａ／Ｄ変換器の前段にアナログＲＦ信号の低周波信号成分の振幅が一定となるように自動ゲイン調整を行なうオートゲイン調整回路を設けたことを特徴とする請求項２記載の光ディスク装置。
【請求項５】
前記アナログＲＦ信号をあるしきい値電圧で比較出力したエッジ信号を元にして同期クロックを生成するＰＬＬ回路を有することを特徴とする請求項１記載の光ディスク装置。
【請求項６】
前記イコライザ部のイコライズ手段は、前記ＲＦ再生信号に対してアダプティブなイコライズ処理を行ない、収差の影響を緩和して信号特性を改善する第１のアダプティブイコライザを含むことを特徴とする請求項１記載の光ディスク装置。
【請求項７】
前記クローズドループ制御手段は、ＲＦ信号のうち最長周期信号を含むある特定パターン信号を判別するフレームパターン検知器を有することを特徴とする請求項６記載の光ディスク装置。
【請求項８】
前記ＲＦ信号品質検出手段は、前記第１のアダプティブイコライザによってイコライズ処理されたフレームパターン信号から得られる最長周期ＲＦ信号中の特定２点の信号レベル差によってイコライズ品質を検出することを特徴とする請求項６記載の光ディスク装置。
【請求項９】
前記ＲＦ信号品質検出手段は、前記信号レベル差の大きさからイコライズ処理後のイコライズ品質を判定することを特徴とする請求項８記載の光ディスク装置。
【請求項１０】
前記ＲＦ信号品質検出手段は、前記信号レベル差の極性から次に補正すべきイコライズ方向を判定し、前記クローズドループ制御手段は、前記ＲＦ信号品質検出手段の判定結果に基づいて前記イコライズ手段のイコライズ補正係数を導くための計算式の切り替えを行なうことを特徴とする請求項８記載の光ディスク装置。
【請求項１１】
前記クローズドループ制御手段は、前記フレームパターン検知器によってフレームパターンが検知された際に、１Ｔ毎のフレームパターン信号レベルを格納し、そのフレームパターン信号レベルをイコライズ補正係数が最適値になるまで保存するフレームメモリ機構を有することを特徴とする請求項７記載の光ディスク装置。
【請求項１２】
前記クローズドループ制御手段は、前記フレームメモリ機構によって保存されたフレームパターン信号をイコライズし、イコライズ補正係数が最適値になるまでイコライズを繰り返す第２のアダプティブイコライザを有することを特徴とする請求項１１記載の光ディスク装置。
【請求項１３】
前記ＲＦ信号品質検出手段は、前記第２のアダプティブイコライザによってイコライズ処理されたフレームパターン信号から得られる最長周期ＲＦ信号中の特定２点の信号レベル差によってイコライズ品質を検出することを特徴とする請求項６記載の光ディスク装置。
【請求項１４】
前記ＲＦ信号品質検出手段は、前記信号レベル差の大きさからイコライズ処理後のイコライズ品質を判定することを特徴とする請求項１３記載の光ディスク装置。
【請求項１５】
前記ＲＦ信号品質検出手段は、前記信号レベル差の極性から次に補正すべきイコライズ方向を判定し、前記クローズドループ制御手段は、前記ＲＦ信号品質検出手段の判定結果に基づいて前記イコライズ手段のイコライズ補正係数を導くための計算式の切り替えを行なうことを特徴とする請求項１３記載の光ディスク装置。
【請求項１６】
前記クローズドループ制御手段は、前記ＲＦ信号品質検出手段によって導かれたＲＦ信号品質情報に基づいてイコライズ特性の良否判定と前記第１のアダプティブイコライザに対するイコライズ補正係数の更新とを行なうイコライズ補正係数更新手段を有することを特徴とする請求項６記載の光ディスク装置。
【請求項１７】
前記アナログＲＦ信号をあるしきい値電圧で比較出力したエッジ信号を元にして同期クロックを生成するＰＬＬ回路を有し、前記イコライザ部、Ａ／Ｄ変換器、Ｄ／Ａ変換器が前記ＰＬＬ回路によって生成された同期クロックによって同期して動作することを特徴とする請求項３記載の光ディスク装置。
【発明の詳細な説明】
【技術分野】
【０００１】
本発明は、各種の方式による光ディスクを用いてデータの記録や再生を行なう光ディスク装置に関し、特に光ディスクから再生されたＲＦ信号の特性をイコライザを用いて補正することにより再生特性の向上を図る光ディスク装置に関するものである。
【背景技術】
【０００２】
近年、光ディスクを用いてデジタルデータの記録再生を行なう光ディスク装置において、光ディスクにおける記録密度の向上に伴い、従来に比べて、より高い周波数の再生信号（ＲＦ信号）を適正に処理する必要が生じている。そこで、例えば光ディスクから読み出された再生信号に対し、デジタルイコライザ（適応等化器）のタップ係数を調整することにより、再生信号の復号化における誤り率を低減するようにした記録再生装置が提案されている（例えば、特許文献１参照）。
【０００３】
また、本件出願人は、光ディスク上で生じた収差（特にタンジェンシャル方向のコマ収差）に対し、ＲＦ信号の波形歪みからタンジェンシャル方向のコマ収差を検出し、それを元にアダプティブイコライザによるフィルタ処理を行なうことによって緩和し、信号特性を自動的に改善する信号処理方式を提案している（特願２００２−１０７０８２号参照；以下、先行出願という）。
この先行出願では、ＲＦ信号品質量を最長周期ＲＦ信号（ＤＶＤでは１４Ｔ）の２点間信号レベル差から検出しており、図１１は１４Ｔの最長周期ＲＦ信号における２点Ａ、Ｂを示している。
そして、このような２点間信号レベル差（Ｂ−Ａ値）の検出値によってイコライズ補正係数を決定し、デジタルイコライザによるフィルタ処理を行なうようにしている。
【特許文献１】特開２００３−５９１８７号公報
【発明の開示】
【発明が解決しようとする課題】
【０００４】
しかし、上記先行出願では、最長周期ＲＦ信号の２点間信号レベル差の検出値からイコライズ補正係数を決定していることから、特にタンジェンシャル方向のスキュー量が大きくなると、２点間信号レベル差の応答が一次式でなくなり、出力が飽和してしまう問題がある。また、タンジェンシャル方向のスキュー量に対するアダプティブイコライザへの理想的なイコライズ補正係数は、２点間信号レベル差応答の飽和から離れる方向の３次関数曲線を描くことも確認されている。
図１２は、このような２点間信号レベル差（Ｂ−Ａ値）の特性の一例を示す説明図であり、縦軸にイコライズ補正係数値、横軸にタンジェンシャルスキュー量を示している。そして、実線による曲線ａは上述したＢ−Ａ値によって決定されるイコライズ補正係数値を示し、破線による曲線ｂは実測による理想イコライズ補正係数値を示している。また、中心の直線ｃは一次式による線を示している。
図示のように、タンジェンシャルスキュー量がある範囲を超えた場合、Ｂ−Ａ値によって決定されるイコライズ補正係数値が飽和して一次式の直線から離れ、一方、理想イコライズ補正係数値もＢ−Ａ値によって決定されるイコライズ補正係数値から乖離する方向に３次関数曲線を描くことになり、両者の乖離が徐々に拡大する状態となっている。
したがって、上述のようにＲＦ信号品質量（Ｂ−Ａ値）からそのままイコライズ補正係数を導き出すと、タンジェンシャルスキュー量が大きい場合に、特性改善に必要な大きさの係数を導くことができず、イコライズ不足となる。
【０００５】
そこで本発明の目的は、簡単な方法で適正なイコライズ補正係数によるフィルタ処理を行なうことができ、タンジェンシャルスキューに対する再生特性の改善を図ることが可能な光ディスク装置を提供することにある。
【課題を解決するための手段】
【０００６】
上述の目的を達成するため、本発明にかかる光ディスク装置は、光ディスクを少なくとも再生する光ピックアップと、前記光ピックアップによって光ディスクから再生されたＲＦ再生信号をイコライズするイコライザ部とを有し、前記イコライザ部は、前記ＲＦ再生信号を与えられたイコライズ補正係数に基づいてイコライズするイコライズ手段と、前記イコライズ手段によるイコライズ後のＲＦ再生信号から収差量を検出することによってＲＦ再生信号品質を検出するＲＦ信号品質検出手段と、前記ＲＦ信号品質検出手段によって検出した収差量をある範囲に収めるように前記イコライズ手段におけるイコライズ補正係数をフィードバック制御によって変化させるクローズドループ制御手段とを有していることを特徴とする。
【発明の効果】
【０００７】
本発明にかかる光ディスク装置によれば、イコライズ手段によるイコライズ後のＲＦ再生信号から収差量を検出し、その検出した収差量をある範囲に収めるようにイコライズ手段におけるイコライズ補正係数をフィードバック制御によって変化させるクローズドループ制御によってＲＦ再生信号のイコライズ処理を最適化するようにしたことから、イコライズ補正係数値の飽和を招くことなく、理想イコライザの特性に近いイコライズを簡易な制御で行なうことができ、光ディスク装置における収差による読み取り精度の悪化を改善でき、特にタンジェンシャルスキューに対するマージンの拡大を図ることが可能となる。
特に、本発明では、イコライズ補正係数をフィードバック制御によって最適化させるため、オープンループのフィードフォーワード制御によってイコライズ補正係数を最適化する方法に比べて、イコライズ補正係数の算出が容易かつ確実に行なえるとともに、イコライズ補正係数の変化をスムーズに行なうことができ、精度や信頼性等の点において良好な補正状態を得ることが可能となる。
【発明を実施するための最良の形態】
【０００８】
本発明の実施の形態による光ディスク装置は、光ピックアップによって得られる光ディスクからの再生ＲＦ信号をイコライズするイコライザ部に、イコライズ後のＲＦ再生信号から収差量を検出することによってＲＦ再生信号品質を検出するＲＦ信号品質検出器と、このＲＦ信号品質検出器によって検出した収差量をある範囲に収めるようにイコライズ演算のためのイコライズ補正係数をフィードバック制御によって変化させるクローズドループ制御ブロックを設け、クローズドループ制御によってＲＦ再生信号のイコライズ処理を最適化するようにしたものである。
【０００９】
なお、イコライザ部にはデジタルイコライザを用い、その前段にはアナログＲＦ信号をデジタル信号に変換するＡ／Ｄ変換器を設け、後段にデジタル信号をアナログ信号に変換して後段の信号再生系に出力するＤ／Ａ変換器を設ける。
また、Ａ／Ｄ変換器の前段にアナログＲＦ信号の低周波信号成分振幅が一定となるように自動ゲイン調整を行なうオートゲイン調整回路を設ける。また、Ａ／Ｄ変換器の前段またはＤ／Ａ変換器の後段に、アナログＲＦ信号をあるしきい値電圧で比較出力したエッジ信号を元にして、同期クロックを生成するＰＬＬ回路を設け、イコライザ部のループ（Ａ／Ｄ変換器及びＤ／Ａ変換器を含む）が正確な同期によって動作できるようにする。
また、イコライザ部にアダプティブイコライザを用いることにより、収差が乗って再生されたディスクＲＦ信号に対し、アダプティブなイコライズ処理を行ない、収差の影響を緩和して信号特性を改善する。
【００１０】
また、ＲＦ信号品質検出器は、ＲＦ信号のうち最長周期信号を含むある特定パターン信号（例えば１４Ｔパターンの両側の４Ｔパターン）を判別する信号判定器を有するものとし、さらに、ＲＦ信号品質を最長周期ＲＦ信号中の特定２点の信号レベル差によって検出する。
そして、この最長周期ＲＦ信号中の特定２点の信号レベル差の大きさによってＲＦ信号の品質度合いを判定するとともに、この信号レベル差の極性を用いて、上述したフィードバック制御によるイコライズ補正係数の変化方向（すなわち、次に補正すべきイコライザ方向）を判定し、内部イコライズ補正係数計算式の切り替えを行なう。
なお、本発明の光ディスク装置は、再生専用の装置と比べＮＡが高くシステムマージンの低い記録再生用の装置に適したものであるが、ＮＡの低い再生専用の装置にも適用可能なものである。
【実施例１】
【００１１】
図１は本発明の実施例１の光ディスク装置におけるＲＦ信号再生系の構成例を示すブロック図で  図示のように、本例の光ディスク装置は、光ピックアップ１００、ＲＦアンプ１１０、オートゲインコントローラ１２０、Ａ／Ｄ変換器１３０、イコライズ部２００、ＰＬＬ部３００、及びＤ／Ａ変換器１４０を有している。
また、イコライズ部２００は、固定値イコライザ２１０、フレームメモリ２２０、フレームパターン検出器２３０、アダプティブイコライザ２４０、２５０、イコライズ補正係数更新器２６０、及びＲＦ信号品質検出器２７０を有している。
このうち、フレームメモリ２２０、フレームパターン検出器２３０、アダプティブイコライザ２５０、イコライズ補正係数更新器２６０、及びＲＦ信号品質検出器２７０によってクローズドループ制御ブロックを構成している。すなわち、本例では、本来の信号伝送用のメインループに設けた第１のアダプティブイコライザ（以下、アダプティブイコライザＭＡＩＮという）２４０と並列に第２のアダプティブイコライザ（以下、アダプティブイコライザＳＵＢという）２５０をイコライズ補正係数算出用のクローズドループ内に設けたものである。
また、ＰＬＬ部３００は、ＲＦ−ＰＬＬ３１０、及びＲＦコンパレータ３２０を有している。このＰＬＬ部３００では、Ｄ／Ａ変換器１４０によってアナログ信号化されたＲＦ信号をＲＦコンパレータ３２０によって任意のしきい値で２値化し、ＲＦ−ＰＬＬ回路３１０によってディスク信号に含まれるチャネルクロック信号（ＰＬＣＫ）を抽出し、このチャネルクロック信号あるいはこれに同期した信号をイコライザ部２００、Ａ／Ｄ変換器１３０、Ｄ／Ａ変換器１４０の基準動作クロックとして供給する。
【００１２】
このような光ディスク装置において、光ピックアップ１００は、光ディスクに対する情報信号の記録、再生を行なうものであり、この光ピックアップ１００からのＲＦ再生信号はＲＦアンプ１１０によって増幅され、オートゲインコントローラ１２０によってゲイン調整された後、Ａ／Ｄ変換器１３０に入力される。Ａ／Ｄ変換器１３０では、オートゲインコントローラ１２０からのアナログＲＦ再生信号をデジタル化してイコライザ部２００に供給する。イコライザ部２００は、この入力されたデジタルＲＦ再生信号に対して本発明に係る収差補正のためのイコライズ処理を行ない、Ｄ／Ａ変換器１４０に出力する。Ｄ／Ａ変換器１４０では、イコライザ部２００からのデジタルＲＦ再生信号を再度アナログ信号に変換し、後段の再生処理系に出力する。
【００１３】
以下、このような光ディスク装置のイコライズ部２００の詳細について順次説明していく。
図２は固定値イコライザ２１０及びアダプティブイコライザＭＡＩＮ２４０の構成を示すブロック図である。また、図５（Ａ）はアダプティブイコライザＭＡＩＮ２４０の動作を示すフローチャートである。
まず、固定値イコライザ２１０は、補正前ＲＦ信号を順次遅延させる複数段の遅延器２１１（シフトレジスタ）と、これら遅延器２１１による遅延信号を固定値係数Ｋによって補正する加算器２１２、乗算器２１３、及び減算器２１４を有し、固定値係数Ｋによって補正したＲＦ信号を出力する。そして、この固定値イコライザ２１０の固定係数補正後ＲＦ信号出力は、アダプティブイコライザ２４０及びクローズドループ制御ブロックに送られる。
また、アダプティブイコライザＭＡＩＮ２４０は、固定値イコライザ２１０による固定係数補正後ＲＦ信号を順次遅延させる複数段の遅延器２４１（シフトレジスタ）と、これら遅延器２４１による遅延信号とイコライズ補正係数更新器２６０からのイコライズ補正係数（ここではＭＡＩＮ補正係数という）とを入力してイコライズ補正係数に対応したパターンを判別して出力する判別器２４２と、この判別器２４２の出力信号をイコライズ補正係数によって変動する係数Ｋによって補正する乗算器２４３と、この乗算器２４３からの出力と遅延器２４１からの出力を加算して出力する加算器２４４を有し、後述するＭＡＩＮ補正係数に基づいて固定係数補正後ＲＦ信号をイコライズ補正し（ステップＳ１）、後段の回路に出力する（ステップＳ２）。
固定値イコライザは、既にＤＶＤ装置等においてフォーマット上に規定されているものであり、ある程度のＲＦ信号波形整形が可能であるが、補正係数が固定値であり、また、イコライズ演算に使用するレジスタが時間進み分、遅れ分ともにセンタタップから同距離（図では２タップ）にあるため、ＭＴＦ劣化分に対しては有効であるものの、特にタンジェンシャルスキューによる収差により顕著に現れるＲＦ信号のＰＴＦ劣化分に対して最適な補正特性が得られない。
そこで、次段のアダプティブイコライザで最適化されたイコライズ補正係数に基づいてＲＦ信号波形整形を行なう。このイコライズ補正係数は、クローズドループ制御ブロックによって決定された各コマ収差量に対して最適な値となる変動補正係数である。
【００１４】
図３はクローズドループ制御ブロックのフレームメモリ２２０、フレームパターン検出器２３０、アダプティブイコライザＳＵＢ２５０、イコライズ補正係数更新器２６０、及びＲＦ信号品質検出器２７０の構成を示すブロック図であり、図４は図３に示すアダプティブイコライザＳＵＢ２５０の処理内容を示す説明図である。さらに、図５（Ｂ）（Ｃ）はフレームメモリ２２０、フレームパターン検出器２３０の動作を示すフローチャートであり、図６（Ａ）（Ｂ）（Ｃ）はアダプティブイコライザＳＵＢ２５０、ＲＦ信号品質検出器２７０、及びイコライズ補正係数更新器２６０の動作を示すフローチャートである。
フレームパターン検出器２３０は、パターンマッチ検出信号ＭＡＴＣＨ−ＰＡＴ−Ｈをディスエーブルにした状態で（ステップＳ２１）、固定値イコライザ２１０から出力される固定係数補正後（収差補正前）ＲＦ信号のフレームパターンを監視し、収差量検出パターン（４Ｔ＋４Ｔ＋１４Ｔ＋４Ｔ＋４Ｔ）を検出した場合には（ステップＳ２２）、その検出タイミングをトリガとして、パターンマッチ検出信号ＭＡＴＣＨ−ＰＡＴ−Ｈをイネーブルとしてオン・オフスイッチ２２１をオフし、その収差量検出パターンの各Ｔの信号レベルをフレームメモリ２２０に格納する（ステップＳ２３）。また、イコライズ補正係数の最適化が行なわれるまでイネーブルの状態を継続する（ステップＳ２４）。
フレームメモリ２２０は、シフトレジスタとして構成され、オン・オフスイッチ２２１がオンしている通常動作では（ステップＳ１２、Ｓ１３）、固定値イコライザ２１０からのフレームパターン信号をＰＬＬ回路３００によるクロック信号に基づいて順次転送しているが（ステップＳ１４）、フレームパターン検出器２３０のイネーブルによってオン・オフスイッチ２２１がオフすると（ステップＳ１５）、全レジスタへのクロック信号の供給が停止する。この結果、固定値イコライザ２１０の出力から得られる収差量検出パターン（４Ｔ＋４Ｔ＋１４Ｔ＋４Ｔ＋４Ｔ）の各Ｔの信号レベルがフレームメモリ２２０内に保持され、イコライズ補正係数が最適化するまでの間、継続して保持される（ステップＳ１６）。
【００１５】
アダプティブイコライザＳＵＢ２５０は、イコライズ補正係数更新器２６０によって与えられるイコライズ補正係数（ここではＳＵＢ補正係数という）に基づいて（ステップＳ３１）、フレームメモリ２２０に保持されたフレームパターン信号をイコライズするものであり（ステップＳ３２）、基本的にはアダプティブイコライザＭＡＩＮ２４０と同様の機能を有するものであるが、次の点で異なるものである。
（１）２つのイコライズ演算回路を有する。
（２）フレームパターン検出器２３０の検出信号ＭＡＴＣＨ−ＰＡＴ−Ｈがイネーブルのときは、２つのイコライズ演算回路はそれぞれＡ点、Ｂ点のイコライズ結果を出力する。
（３）イコライズ補正係数は、アダプティブイコライザＭＡＩＮ２４０のＭＡＩＮ補正係数でなく、ＳＵＢ補正係数を使用する。
【００１６】
ＲＦ信号品質検出器２７０は、フレームパターン検出器２３０の検出信号ＭＡＴＣＨ−ＰＡＴ−Ｈがイネーブルの状態で（ステップＳ４１）、アダプティブイコライザＳＵＢ２５０より出力されたＡ点、Ｂ点の差分（Ｂ−Ａ）値をイコライズ品質情報として導くものであり（ステップＳ４２）、アダプティブイコライザＳＵＢ２５０より出力されたＡ点、Ｂ点の信号レベルを出力するゲート回路２７１と、Ａ点、Ｂ点の信号レベルを減算する減算器２７２とを有する。
イコライズ補正係数更新器２６０は、イコライズ品質判定とイコライズ補正係数更新の２つの動作を行なうものである。この動作は、どちらもフレームパターン検出器２３０の検出信号ＭＡＴＣＨ−ＰＡＴ−Ｈがイネーブルの状態で有効となる（ステップＳ５１）。
まず、イコライズ品質判定動作では、ＲＦ信号品質検出器２７０からのイコライズ品質情報（Ａ−Ｂ）値の絶対値が補正を有効（ＯＫ）とする範囲か否か（ＮＧ）を判定し、イコライズ品質ＯＫ／ＮＧ出力を行なう。例えば、図示の例では、所定のしきい値αに対し、−α≦（Ｂ−Ａ）≦＋αでイコライズ品質ＯＫとしている（ステップＳ５２、Ｓ５３、Ｓ５５）。
次に、イコライズ補正係数更新動作では、イコライザ品質判定動作によって得られた情報に基づいて、ＭＡＩＮ補正係数、ＳＵＢ補正係数をそれぞれ更新する。具体的には、イコライズ品質ＮＧの際は、ＳＵＢ補正係数の更新を行ない、イコライザ品質ＯＫの際は、ＭＡＩＮ補正係数の更新を行なう（ステップＳ５４、Ｓ５６）。
なお、本例では、イコライズ補正係数更新器２６０においてイコライザ品質がＯＫと判定されるまでＭＡＩＮ補正係数の更新は行わない構成について説明しているが、ＲＦ信号品質検出器２７０からのイコライズ品質情報の絶対値や極性に基づいて、ＭＡＩＮ補正係数を算出する演算式を切り替えてＭＡＩＮ補正係数を算出し、その更新を随時行なうような構成としてもよい。
【００１７】
図７はフレームパターン信号のパターンマッチからＭＡＩＮ補正係数の更新までの動作を示すタイミングチャートである。
まず、フレームパターン検出器２３０のパターンマッチによって検出信号ＭＡＴＣＨ−ＰＡＴ−Ｈがイネーブルになった後、イコライズ品質がＮＧの間、クローズドループ処理ブロック内でＳＵＢ補正係数の更新とフレーム信号イコライズとイコライズ品質判定が繰り返され、イコライズ品質がＯＫとなった時点で、ＭＡＩＮ補正係数が最適値に更新され、クローズドループ処理ブロック内での処理が終了する。
【００１８】
次に、以上のような実施例によって得られる作用効果の具体例について説明する。
図８は本例のイコライズ部の回路構成を使用した場合と使用しない場合（固定値補正の従来例）のＲＦ信号波形を示す説明図である。ここではディスクに対して光ピックアップを傾けることで、タンジェンシャルスキューを与えている。この時、従来例の固定値補正では補正不足から図７（Ａ）に示すように波形が歪み、信号を２値化した時の時間方向ジッタが発生し、読み取り精度が悪化していた。
これに対して本例の回路構成を使用した場合は、図７（Ｂ）に示すように波形歪みが小さくなり、信号読み取り精度も向上する。
ところで、本件出願人は、光ディスク上で生じた収差（特にタンジェンシャル方向のコマ収差）に対し、ＲＦ信号の波形歪みからタンジェンシャル方向のコマ収差を検出し、それを元にアダプティブイコライザによるフィルタ処理を行なうことによって緩和し、信号特性を自動的に改善する信号処理方式を提案しているが（先行出願）、本例の構成は、このようなオープンループ制御の構成をさらにクローズドループ制御に改良してイコライズ特性をより向上したものである。
図９は本例の方式と先行出願の方式と従来例の方式とで、タンジェンシャルスキューに対するジッタ改善効果を対比して示す説明図であり、縦軸がジッタ、横軸がタンジェンシャルスキューを示している。
図示のように、先行出願の方式（オープンループ補正方式）においても、従来例の固定値補正に比べ、タンジェンシャルスキューに対するジッタの悪化が軽減され、補正性能は向上しているが、本例のクローズドループ補正方式では、それよりも更に良好な補正特性を得られることが確認できる。
この結果、本例によれば、光ディスク装置における収差による読み取り精度悪化を大幅に改善することが可能となる。
【実施例２】
【００１９】
本発明の他の実施例として、以下のようなものが考えられる。
上述した実施例１では補正後のフレームパターン信号における検出収差量（イコライズ品質情報）を補正係数の更新に用い、検出収差量が大きい時は補正係数も大きく、検出収差量が小さい時は補正係数も小さいという、各検出収差量と補正係数変動量が比例関係にある方式を用いているが、実施例２として、補正係数を導く際に、検出収差量は極性のみを使用してイコライズ係数を変化（更新）させる方向を決定し、補正動作は単位補正係数βを用いて補正係数の更新（増減）を行い、検出収差量が図７に示した最適補正範囲である±α以内に収まるまで、ｎ回それを繰り返し、- α≦最適補正係数＝ｎ×β≦＋αとなった時点で補正を完了するという方式を用いることが考えられる。このような方式を用いることにより、回路をシンプル、かつ小規模に構成できる利点がある。ただし、βの値をどのように設定するかにより、βが小さすぎると、特に元の収差量が大きい時に、±α以内に到達するまでの時間がかかり、βが大きすぎると、検出収差量が±α以内に収束しない場合が生じるため、注意が必要である。
【実施例３】
【００２０】
また、上述した実施例１では入力ＲＦ信号からフレームパターン信号が検知された時点をクローズドループ制御開始タイミングとし、その後、いかなるＲＦ信号が入力されようとも、クローズドループ開始時点で検出された補正後ＲＦ信号の収差量がある最適補正範囲±αに収まるまで、収差量検出とイコライズ係数更新を強制的に繰り返すという方式を用いているが、実施例３として、収差量検出とイコライズ係数更新はフレームパターン信号が検知された時点の一度のみとし、以降のフレームパターン信号の入力毎に、同動作を繰り返し行なうような方式を用いることが考えられる。
図１０はこの実施例３による光ディスク装置の再生系の構成を示すブロック図である。なお、図１と共通の構成要素には同一符号を付してある。
図示のように、この光ディスク装置のクローズドループ制御ブロックは、図１に示す構成からフレームメモリ２２０及びアダプティブイコライザＳＵＢ２５０を削除したものであり、アダプティブイコライザＭＡＩＮ２４０からフレームパターン信号を導いて収差量検出とイコライズ係数更新を行なう。
このような方式を用いることにより、回路をシンプル、かつ小規模に構成できる利点がある。ただし、補正特性については実施例１に比べて低下したものとなる。
【図面の簡単な説明】
【００２１】
【図１】本発明の実施例１による光ディスク装置の構成を示すブロック図である。
【図２】図１に示す光ディスク装置のイコライザ部に設けられる固定値イコライザ及びアダプティブイコライザＭＡＩＮの構成を示すブロック図である。
【図３】図１に示す光ディスク装置のイコライザ部に設けられるフレームメモリ、フレームパターン検出器、アダプティブイコライザＳＵＢ、ＲＦ信号品質検出器、及びイコライズ係数更新器の構成を示すブロック図である。
【図４】図３に示す構成の処理内容を示す説明図である。
【図５】図１に示す光ディスク装置のイコライザ部の各部の動作を示すフローチャートである。
【図６】図１に示す光ディスク装置のイコライザ部の各部の動作を示すフローチャートである。
【図７】図１に示す光ディスク装置のイコライザ部の動作タイミングを示すタイミングチャートである。
【図８】図１に示す光ディスク装置のタンジェンシャルスキュー印加に対するＲＦ波形の整形効果を従来例と対比して示す説明図である。
【図９】図１に示す光ディスク装置のタンジェンシャルスキュー印加に対するジッタ発生状況を従来例及び先行出願例と対比して示す説明図である。
【図１０】本発明の実施例３による光ディスク装置の構成を示すブロック図である。
【図１１】従来のスキュー検出方法を示す説明図である。
【図１２】図１１に示すスキュー検出方法で検出した値を用いて決定されるイコライズ補正係数の特性を示す説明図である。
【符号の説明】
【００２２】
１００……光ピックアップ、１１０……ＲＦアンプ、１２０……オートゲインコントローラ、１３０……Ａ／Ｄ変換器、１４０……Ｄ／Ａ変換器、２００……イコライズ部、２１０……固定値イコライザ、２２０……フレームメモリ、２３０……フレームパターン検出器、２４０、２５０……アダプティブイコライザ、２６０……イコライズ補正係数更新器、２７０……ＲＦ信号品質検出器、３００……ＰＬＬ部、３１０……ＲＦ−ＰＬＬ、３２０……ＲＦコンパレータ。
【図１】
2005122844.tif 000003
【図２】
2005122844.tif 000004
【図３】
2005122844.tif 000005
【図４】
2005122844.tif 000006
【図５】
2005122844.tif 000007
【図６】
2005122844.tif 000008
【図７】
2005122844.tif 000009
【図８】
2005122844.tif 000010
【図９】
2005122844.tif 000011
【図１０】
2005122844.tif 000012
【図１１】
2005122844.tif 000013
【図１２】
2005122844.tif 000014